(57)【要約】【課題】本発明は、乳幼児がストローを使う際に喉の奥に突き刺さないように補助するものである。通常、乳幼児は大人と同じストローを使うが、乳幼児は突発的に喉の奥までストローを入れてしまい、口腔、喉を傷つけてしまうことがある。また、ストローの飲み口に取り付け、喉突きストッパーを設けた喉突き防止ストロー補助具やストローが固定された幼児用水筒等があるが、直接口をつけるため使うたびに洗わねばならず手間であり、洗浄が完璧でないと不衛生になりがちである。そこで、ストローが幼児の口を傷つけないような衛生的で持ち運びが楽なストロー補助具を提供する。【解決手段】乳幼児の口に入らない形状の喉付き防止ストッパーと、ストッパーをストローに固定させるためのグリップ、様々な太さのストローに対応するための切り込みを設ける。飲み口には直接触れないので衛生的に使うことができる。【選択図】図３
2009183666.tif 000002
【特許請求の範囲】
【請求項１】
幼児がストローを口に深くくわえないようにするためのストッパーと、市販の様々な太さのストローを本体中心部に通すための切り込み、切り込み上をスライドすることで切り込みを緩締し、ストッパーをストローに固定させるグリップを設けた、口腔と喉を突かないためのストロー補助具。
【請求項２】
ストローの飲み口から子供がストローをくわえる長さまで差し込むことで、幼児がストローで飲み物を飲む作業を邪魔せず、且つ本ストロー補助具に直接口を付けて使用することがない、衛生的に使うことのできるストロー補助具。
【請求項３】
外形はストッパー部分に向かって先広のテーパー状にし、内部は先細のテーパー状にすることで、グリップの位置をスライドし切り込みを緩締させるだけで、平均的な市販品の直径４ミリ〜６ミリの太さのストローに固定させることのできるストロー補助具。
【発明の詳細な説明】
【技術分野】
【０００１】  本発明は、乳幼児がストローを使う際に喉の奥に突き刺さないように補助するものである。
【背景技術】
【０００２】  従来、乳幼児がストローを使うときは、大人と同じストローを使っていた。幼児用ストローは幼児用の紙パックのシュースの付属品か、幼児用のストロー付きの水筒の付属品でしか見ることがない。【０００３】  ストローの先端に直接取り付け、吸口とストロー差し込み口の間に喉突きストッパーを設けた喉突き防止ストロー補助具がある。（特許文献１参照）
【特許文献１】  特開２００１−２６９２５９号広報
【発明の開示】
【発明が解決しようとする課題】
【０００４】  そのために次のような問題点があった。
（イ）  乳幼児は突発的に喉の奥までストローを入れてしまい、口腔、喉を傷つけてし          まうことがある。特に大人用のストローは長さがあるので喉の奥までストロー          が到達しやすい。
（ロ）  幼児用のストロー付きの水筒はストローが固定され、安全なものもあるが、洗          浄が面倒であり、また液体が入っている状態だと持ち歩くのに重たく、荷物が          かさばり、面倒である。
（ハ）  ストローの先に従来の喉突き防止補助具を用いた場合、補助具に直接口をつけ          るため使うたびに洗わねばならず手間であり、洗浄が完璧でないと不衛生にな          りがちである。
本発明は、以上の問題点を解決するためになされたものである。
【課題を解決するための手段】
【０００５】  幼児の口より幅の広いストッパーを設ける。ストッパーの幅は約３５〜４０ミリとする。このストッパーの大きさは玩具安全基準（（社）日本玩具協会）で定められている３歳末満の幼児に与えてはいけない分離可能な玩具の大きさの基準３１，８ミリ未満を超えたものである。ストッパーの形状は平たい円状または幼児の口周辺を２点以上で支えるように広がった形状とする。【０００６】  ストッパー中心部に、ストローを通す穴、穴に市販品の平均的な太さである４ミリ〜６ミリの太さのストローを通すための切り込みと本体外部にグリップを設ける。本ストロー補助具はストッパーと切り込み部、ストローにストッパーを固定させるグリップからのみ出来ており、小さい。【０００７】ストッパーはストローの飲み口から、子供がストローを口に含む長さの先に来るように固定させる。ストッパー自体はストローの飲み口に直接触れない。本発明は、以上の構成よりなるストロー補助具である。
【発明の効果】
【０００８】  ストッパーがあるので、乳幼児がストローを深く咥えることができず、口腔、喉をストローで傷つけることがない。グリップをスライドさせ、切り込みを緩めたり締めたりすることで、市販されている平均的な太さ直径４ミリ〜６ミのストローに対応する。そのため出先に幼児用水筒等を持っていく手間が省ける。またストロー補助具自体に口をつける事がないため、洗浄する手間もなく、衛生的である。
【発明を実施するための最良の形態】
【０００９】以下、本発明の実施の形態を説明する。
（イ）請求項１記載のように、幼児がストローを口に深くくわえないように幼児の口の        幅より大き直径約３５〜４０ミリのストッパーを設ける。
（ロ）上記より、市販品の平均的な太さのストローをストロー補助具本体中心のストロ        ー穴に通すための切り込み、切り込み上をスライドすることで切り込みを緩締し        、ストッパーをストローに固定させるグリップを設ける。
（ハ）請求項２記載のように、子供がストローを口に含む長さの先にストッパーが来る        ようにストロー補助具を差し込むことで、幼児がストローで飲み物を飲む作業を        邪魔せず、且つ本ストロー補助具に直接口を付けて使用することがなく、衛生的        に使うことができる。
（ニ）請求項３記載のように、ストロー補助具外形はストッパー部分に向かって先広の        テーパー状にし、内部は先細のテーパー状にすることで、グリップの位置をスラ        イドし切り込みを緩締させるだけで、平均的な市販品の直径４ミリ〜６ミリの太        さのストローに固定させることができる。切り込みを閉めないと直径６ミリのス        トローを通すことが出来、閉めることでより細いストローを固定することができ        る。最もストッパーに近い部分までグリップをスライドさせ、切り込みを閉める        と直径４ミリのストローを固定させることができる。
（ホ）ストロー補助具の外形はテーパー状になっているため、ストッパー部とは逆の細        い方からグリップが落ちて幼児が誤って飲み込まないように、ストッパー部の逆        の細い方の先にグリップの穴より大きい直径約１センチ程度の引っかけをつける        。
本発明は以上の構成よりなる。
本発明を使用する場合は、本ストロー補助具がストローの飲み口より使用する子供がストローを口に含む長さの先にストッパー部が来るようにストローを差し込み、ストローの太さに合わせてストロー補助具が固定される位置までグリップを切り込み状でスライドさせる。ストロー補助具が固定されていることが確認できたら使用する。
【図面の簡単な説明】
【００１０】
【図１】本発明の切り込みを開けた場合の正面図
【図２】本発明の切り込みを締めた場合の正面図
【図３】本発明の右側面図（左側面図も同じ）
【図４】本発明の上面図（底面図も同じ）
【図５】本発明の正面斜視図
【図６】本発明の背面図
【図７】図３の位置Ａにおける断面図
【図８】図３の位置Ｂにおける断面図
【図９】本発明をストローに固定した場合の斜視図
【図１０】図３の位置Ｃにおける断面図
【図１１】ストッパーをくちばしに見立てた鳥のようなデザインのストロー補助具
【図１２】ストッパーを花びら、グリップをがくに見立てた花のようなデザインのストロー補助具
【符号の説明】
【００１１】（１）ストッパー、（２）ストロー穴、（３）切り込み、（４）グリップ、（５）引っかけ、（６）ストロー補助具
【図１】
2009183666.tif 000003
【図２】
2009183666.tif 000004
【図３】
2009183666.tif 000005
【図４】
2009183666.tif 000006
【図５】
2009183666.tif 000007
【図６】
2009183666.tif 000008
【図７】
2009183666.tif 000009
【図８】
2009183666.tif 000010
【図９】
2009183666.tif 000011
【図１０】
2009183666.tif 000012
【図１１】
2009183666.tif 000013
【図１２】
2009183666.tif 000014